(57)【要約】【課題】アクセスポイントへの接続を効率的に行える接続管理システム、接続管理方法、携帯端末及びサーバを提供すること。【解決手段】接続管理システム１は、通信ネットワークのアクセスポイント１０と、アクセスポイント１０に所定の認証データを用いて無線通信接続する携帯端末２０と、携帯端末２０の端末ＩＤと対応付けて、認証データを記憶する管理サーバ３０と、を備え、アクセスポイント１０は、超音波の発信機１１を有し、発信機１１は、発信機ＩＤを含む超音波を発信し、携帯端末２０は、発信機１１から発信された超音波を受信したことに応じて、発信機ＩＤ及び端末ＩＤを管理サーバ３０へ送信し、管理サーバ３０は、端末ＩＤと対応付けられ、かつ、発信機ＩＤにより識別される発信機１１を有するアクセスポイント１０の認証データを携帯端末２０へ送信する。【選択図】図１
2014155025.tif 000002
【特許請求の範囲】
【請求項１】
通信ネットワークのアクセスポイントと、
前記アクセスポイントに所定の認証データを用いて無線通信接続する携帯端末と、
前記携帯端末の端末ＩＤと対応付けて、前記認証データを記憶するサーバと、を備え、
前記アクセスポイントは、超音波の発信機を有し、
前記発信機は、当該発信機を識別する機器ＩＤを含む超音波を発信し、
前記携帯端末は、前記発信機から発信された超音波を受信したことに応じて、当該超音波に含まれる前記機器ＩＤ、及び自端末の端末ＩＤを、前記サーバへ送信し、
前記サーバは、前記端末ＩＤと対応付けられ、かつ、前記機器ＩＤにより識別される発信機を有するアクセスポイントの前記認証データを前記携帯端末へ送信する接続管理システム。
【請求項２】
前記携帯端末は、前記サーバから受信した前記認証データを用いて、前記アクセスポイントへ自動接続する請求項１に記載の接続管理システム。
【請求項３】
前記携帯端末は、前記機器ＩＤのリストを記憶し、前記受信した超音波に含まれる機器ＩＤが前記リストに含まれる場合に、当該機器ＩＤを前記サーバへ送信する請求項１又は請求項２に記載の接続管理システム。
【請求項４】
前記携帯端末は、認証済みのアクセスポイントが有する発信機の機器ＩＤ及び認証データを、前記端末ＩＤと対応付けて前記サーバに登録する登録部を備える請求項１から請求項３のいずれかに記載の接続管理システム。
【請求項５】
前記アクセスポイントに対する無線通信接続は、ＩＥＥＥ８０２．１１に準拠する通信規格であり、前記認証データは、前記アクセスポイントの識別子及び暗号化キーである請求項１から請求項４のいずれかに記載の接続管理システム。
【請求項６】
通信ネットワークのアクセスポイントが、発信機により当該発信機を識別する機器ＩＤを含む超音波を発信し、
携帯端末が、前記発信機から発信された超音波を受信したことに応じて、当該超音波に含まれる前記機器ＩＤ、及び自端末の端末ＩＤをサーバへ送信し、
前記サーバが、前記端末ＩＤと対応付けられ、かつ、前記機器ＩＤにより識別される発信機を有するアクセスポイントへの無線通信接続に必要な認証データを前記携帯端末へ送信する接続管理方法。
【請求項７】
通信ネットワークのアクセスポイントが有する発信機から発信された超音波を受信したことに応じて、当該超音波に含まれる前記発信機を識別する機器ＩＤを抽出する超音波解析部と、
前記機器ＩＤ及び自端末の端末ＩＤをサーバへ送信し、当該サーバから、前記端末ＩＤと対応付けられ、かつ、前記機器ＩＤにより識別される発信機を有するアクセスポイントへの無線通信接続に必要な認証データを受信する照会部と、を備える携帯端末。
【請求項８】
通信ネットワークのアクセスポイントに所定の認証データを用いて無線通信接続する携帯端末の端末ＩＤと対応付けて、当該認証データを記憶する記憶部と、
前記アクセスポイントが有する超音波の発信機から、当該発信機を識別する機器ＩＤを含む超音波を前記携帯端末が受信したことに応じて、当該超音波に含まれる前記機器ＩＤ、及び前記携帯端末の端末ＩＤを受信すると、当該端末ＩＤと対応付けられ、かつ、前記機器ＩＤにより識別される発信機を有するアクセスポイントの前記認証データを抽出し、前記携帯端末へ送信する抽出部と、を備えるサーバ。
【発明の詳細な説明】
【技術分野】
【０００１】
本発明は、アクセスポイントへ無線通信接続するための接続管理システムに関する。
【背景技術】
【０００２】
従来、端末が無線ＬＡＮのアクセスポイントへ接続する際には、このアクセスポイントの識別子であるＳＳＩＤ（Ｓｅｒｖｉｃｅ  Ｓｅｔ  Ｉｄｅｎｔｉｆｉｅｒ）及び暗号化キーが指定される。
例えば、特許文献１には、管理者側ＰＣから取得したプロファイルを用いて無線通信の設定をする方法が示されている。
【先行技術文献】
【特許文献】
【０００３】
【特許文献１】特開２００５−０５１６２５号公報
【発明の概要】
【発明が解決しようとする課題】
【０００４】
しかしながら、携帯端末が複数のアクセスポイントを利用可能な場合、接続可能となったアクセスポイントを特定して、対応するプロファイルを効率的に取得することは難しかった。
【０００５】
本発明は、アクセスポイントへの接続を効率的に行える接続管理システム、接続管理方法、携帯端末及びサーバを提供することを目的とする。
【課題を解決するための手段】
【０００６】
（１）通信ネットワークのアクセスポイントと、前記アクセスポイントに所定の認証データを用いて無線通信接続する携帯端末と、前記携帯端末の端末ＩＤと対応付けて、前記認証データを記憶するサーバと、を備え、前記アクセスポイントは、超音波の発信機を有し、前記発信機は、当該発信機を識別する機器ＩＤを含む超音波を発信し、前記携帯端末は、前記発信機から発信された超音波を受信したことに応じて、当該超音波に含まれる前記機器ＩＤ、及び自端末の端末ＩＤを、前記サーバへ送信し、前記サーバは、前記端末ＩＤと対応付けられ、かつ、前記機器ＩＤにより識別される発信機を有するアクセスポイントの前記認証データを前記携帯端末へ送信する接続管理システム。
【０００７】
（２）前記携帯端末は、前記サーバから受信した前記認証データを用いて、前記アクセスポイントへ自動接続する（１）に記載の接続管理システム。
【０００８】
（３）前記携帯端末は、前記機器ＩＤのリストを記憶し、前記受信した超音波に含まれる機器ＩＤが前記リストに含まれる場合に、当該機器ＩＤを前記サーバへ送信する（１）又は（２）に記載の接続管理システム。
【０００９】
（４）前記携帯端末は、認証済みのアクセスポイントが有する発信機の機器ＩＤ及び認証データを、前記端末ＩＤと対応付けて前記サーバに登録する登録部を備える（１）から（３）のいずれかに記載の接続管理システム。
【００１０】
（５）前記アクセスポイントに対する無線通信接続は、ＩＥＥＥ８０２．１１に準拠する通信規格であり、前記認証データは、前記アクセスポイントの識別子及び暗号化キーである（１）から（４）のいずれかに記載の接続管理システム。
【００１１】
（６）通信ネットワークのアクセスポイントが、発信機により当該発信機を識別する機器ＩＤを含む超音波を発信し、携帯端末が、前記発信機から発信された超音波を受信したことに応じて、当該超音波に含まれる前記機器ＩＤ、及び自端末の端末ＩＤをサーバへ送信し、前記サーバが、前記端末ＩＤと対応付けられ、かつ、前記機器ＩＤにより識別される発信機を有するアクセスポイントへの無線通信接続に必要な認証データを前記携帯端末へ送信する接続管理方法。
【００１２】
（７）通信ネットワークのアクセスポイントが有する発信機から発信された超音波を受信したことに応じて、当該超音波に含まれる前記発信機を識別する機器ＩＤを抽出する超音波解析部と、前記機器ＩＤ及び自端末の端末ＩＤをサーバへ送信し、当該サーバから、前記端末ＩＤと対応付けられ、かつ、前記機器ＩＤにより識別される発信機を有するアクセスポイントへの無線通信接続に必要な認証データを受信する照会部と、を備える携帯端末。
【００１３】
（８）通信ネットワークのアクセスポイントに所定の認証データを用いて無線通信接続する携帯端末の端末ＩＤと対応付けて、当該認証データを記憶する記憶部と、前記アクセスポイントが有する超音波の発信機から、当該発信機を識別する機器ＩＤを含む超音波を前記携帯端末が受信したことに応じて、当該超音波に含まれる前記機器ＩＤ、及び前記携帯端末の端末ＩＤを受信すると、当該端末ＩＤと対応付けられ、かつ、前記機器ＩＤにより識別される発信機を有するアクセスポイントの前記認証データを抽出し、前記携帯端末へ送信する抽出部と、を備えるサーバ。
【発明の効果】
【００１４】
本発明によれば、携帯端末は、アクセスポイントへの接続を効率的に行える。
【図面の簡単な説明】
【００１５】
【図１】実施形態に係る接続管理システムの構成を示すブロック図である。
【図２】実施形態に係る接続管理システムの処理を示すシーケンス図である。
【発明を実施するための形態】
【００１６】
以下、本発明の実施形態の一例について説明する。
本実施形態に係る接続管理システム１は、携帯端末２０が無線ＬＡＮのアクセスポイント１０へ接続するための情報を取得するシステムである。
【００１７】
図１は、本実施形態に係る接続管理システム１の構成を示すブロック図である。
接続管理システム１は、通信ネットワークのアクセスポイント１０と、ユーザの携帯端末２０と、管理サーバ３０とを備える。
【００１８】
アクセスポイント１０は、超音波の発信機１１と、スピーカ１２とを備える。
発信機１１は、機器を識別するための発信機ＩＤを含む所定の情報を重畳した超音波データを生成する。スピーカ１２は、発信機１１により生成されたデータを超音波として出力する。
【００１９】
携帯端末２０は、スピーカ１２から出力された超音波を受信するマイク２１と、無線によりデータ通信を行う通信部２２と、記憶部２３と、表示部２４と、ユーザの操作入力を受け付ける入力部２５と、制御部２６とを備える。
【００２０】
通信部２２は、ＩＥＥＥ８０２．１１に準拠する通信規格であるＷｉ−Ｆｉにより、アクセスポイント１０と無線通信接続する。このとき、通信部２２は、認証データとしてのＳＳＩＤ及び暗号化キーを通知することによって、アクセスポイント１０において認証処理が行われる。
【００２１】
記憶部２３は、ハードウェア群を携帯端末２０として機能させるための各種プログラム、及び各種データ等の記憶領域であり、ＲＯＭ、ＲＡＭ、フラッシュメモリ又はハードディスク（ＨＤＤ）等であってよい。具体的には、記憶部２３は、本実施形態の各機能を制御部２６に実行させるプログラムを記憶する。
【００２２】
表示部２４は、制御部２６による表示制御に従って、ユーザにデータの入力を受け付ける画面を表示したり、携帯端末２０による処理結果の画面を表示したりする。表示部２４は、液晶ディスプレイ（ＬＣＤ）又は有機ＥＬディスプレイ等のディスプレイ装置であってよい。
【００２３】
入力部２５は、携帯端末２０に対するユーザからの指示入力を受け付けるインタフェース装置である。入力部２５は、例えば、操作キー及びタッチパネル等により構成される。
【００２４】
制御部２６は、携帯端末２０の全体を制御する部分であり、記憶部２３に記憶された各種プログラムを適宜読み出して実行することにより、本実施形態における各種機能を実現している。制御部２６は、ＣＰＵ（Ｃｅｎｔｒａｌ  Ｐｒｏｃｅｓｓｉｎｇ  Ｕｎｉｔ）であってよい。
また、制御部２６は、超音波解析部２６１と、照会部２６２と、接続部２６３と、端末登録部２６４とを備える。
【００２５】
超音波解析部２６１は、マイク２１により超音波が受信されると、この超音波を解析して発信機ＩＤを抽出する。
【００２６】
照会部２６２は、超音波解析部２６１により抽出された発信機ＩＤを、携帯端末２０に保存されている端末ＩＤと共に管理サーバ３０へ送信する。このとき、携帯端末２０は、接続済みの他のアクセスポイント、又は３Ｇ或いは４Ｇ等の他の通信プロトコルによって管理サーバ３０と通信する。
端末ＩＤは、携帯端末２０を識別するデータであり、通信事業者により管理される契約者のＩＤ、又は携帯端末２０に固有のＩＤであってもよい。
【００２７】
接続部２６３は、管理サーバ３０により管理されているアクセスポイント１０の認証データを受信し、この認証データを用いてアクセスポイント１０との間で認証処理を行って無線通信接続する。
接続部２６３は、認証データを受信したことに応じて、アクセスポイント１０へ自動接続することとしてよい。また、接続部２６３は、認証データを受信したことを表示部２４等により報知すると共に、ユーザから接続許可の指示入力を受け付けることとしてもよい。
【００２８】
端末登録部２６４は、認証済みのアクセスポイント１０が有する発信機１１の機器ＩＤ及び認証データを、携帯端末２０の端末ＩＤと対応付けて管理サーバ３０へ送信して登録する。また、端末登録部２６４は、入力部２５を介してユーザから認証データの入力を受け付け、この認証データを、端末ＩＤ及び機器ＩＤと対応付けて管理サーバ３０へ送信して登録する。
【００２９】
管理サーバ３０は、記憶部３１と、制御部３２とを備え、携帯端末２０の端末ＩＤ及び機器ＩＤと対応付けてアクセスポイント１０の認証データを管理する。
【００３０】
記憶部３１は、ハードウェア群を管理サーバ３０として機能させるための各種プログラム、及び各種データ等の記憶領域であり、ＲＯＭ、ＲＡＭ、フラッシュメモリ又はハードディスク（ＨＤＤ）等であってよい。具体的には、記憶部３１は、本実施形態の各機能を制御部３２に実行させるプログラムを記憶する他、端末ＩＤ、機器ＩＤ及び認証データを対応付けて記憶する。
【００３１】
制御部３２は、管理サーバ３０の全体を制御する部分であり、記憶部３１に記憶された各種プログラムを適宜読み出して実行することにより、本実施形態における各種機能を実現している。制御部３２は、ＣＰＵであってよい。
また、制御部３２は、抽出部３２１と、登録部３２２とを備える。
【００３２】
抽出部３２１は、携帯端末２０から受信した端末ＩＤ及び機器ＩＤに対応する認証データを記憶部３１から抽出し、携帯端末２０へ送信する。
【００３３】
登録部３２２は、携帯端末２０から受信した端末ＩＤ、機器ＩＤ及び認証データの組み合わせを、記憶部３１に記憶する。
【００３４】
図２は、本実施形態に係る接続管理システム１の処理を示すシーケンス図である。
ステップＳ１において、アクセスポイント１０の発信機１１は、自機の発信機ＩＤを含む超音波を、スピーカ１２を介して出力する。この超音波の出力は、常時、間欠、又は所定のタイミングであってよい。
【００３５】
ステップＳ２において、アクセスポイント（ＡＰ）１０に接近したユーザの携帯端末２０は、受信した超音波を解析し、発信機ＩＤを取得する。
【００３６】
ステップＳ３において、携帯端末２０は、ステップＳ２で取得した発信機ＩＤと、自端末の端末ＩＤとを、管理サーバ３０へ送信する。
【００３７】
ステップＳ４において、管理サーバ３０は、ステップＳ３で受信した端末ＩＤ及び発信機ＩＤに対応して登録されている、アクセスポイント１０用の認証データとして、ＳＳＩＤ及び暗号化キーを抽出する。
【００３８】
ステップＳ５において、管理サーバ３０は、ステップＳ４で抽出したＳＳＩＤ及び暗号化キーを、ステップＳ３における端末ＩＤ及び発信機ＩＤの送信元である携帯端末２０へ返送する。
【００３９】
ステップＳ６において、携帯端末２０は、ステップＳ５で受信したＳＳＩＤ及び暗号化キーを用いて、アクセスポイント１０との間で認証処理を行う。
なお、携帯端末２０は、自動で認証処理を開始してもよいが、ユーザからの指示入力に応じて認証処理を開始してもよい。
【００４０】
以上のように、本実施形態によれば、接続管理システム１は、携帯端末２０において、アクセスポイント１０から発信される超音波を解析することによって発信機ＩＤを取得し、対応して管理サーバ３０において管理されている認証データを受信できるので、アクセスポイント１０への接続を効率的に行える。
【００４１】
また、接続管理システム１は、携帯端末２０において、アクセスポイント１０への接続を自動化できるので、ユーザ操作の省力化が期待できる。
さらに、認証データを自動取得する対象アクセスポイントを限定できるので、不要な処理負荷を低減し、ユーザの利便性も向上する。
【００４２】
また、接続管理システム１は、認証データの管理サーバ３０への登録機能を備えることにより、新たな接続するアクセスポイント１０について、次回以降の接続を効率化できる。
【００４３】
以上、本発明の実施形態について説明したが、本発明は前述した実施形態に限るものではない。また、本実施形態に記載された効果は、本発明から生じる最も好適な効果を列挙したに過ぎず、本発明による効果は、本実施形態に記載されたものに限定されるものではない。
【００４４】
携帯端末２０は、発信機ＩＤのリストを記憶し、アクセスポイント１０から受信した超音波に含まれる発信機ＩＤがリストに含まれる場合に、この発信機ＩＤを管理サーバ３０へ送信してもよい。これにより、携帯端末２０は、ユーザが必要とする接続先についてのみ、認証データを自動取得できるので、処理が効率化される。
【００４５】
携帯端末２０は、ネットワークに接続可能な情報処理装置であり、携帯電話機、スマートフォン、タブレット端末等、様々な情報処理装置（コンピュータ）であってよい。
前述の各機能は、ソフトウェアにより実現される。ソフトウェアによって実現される場合には、このソフトウェアを構成するプログラムが、上記情報処理装置にインストールされる。また、これらのプログラムは、ＣＤ−ＲＯＭのようなリムーバブルメディアに記録されてユーザに配布されてもよいし、ネットワークを介してユーザのコンピュータにダウンロードされることにより配布されてもよい。
【符号の説明】
【００４６】
１  接続管理システム
１０  アクセスポイント
１１  発信機
２０  携帯端末
３０  管理サーバ
【図１】
2014155025.tif 000003
【図２】
2014155025.tif 000004